(57)【要約】【課題】端末装置から要求される画像処理を円滑に実行するため、効率的に、省エネ状態と通常状態とを切り替える画像処理装置を提供する。【解決手段】画像処理装置は、端末装置が要求する画像処理を実行する画像処理部と、画像処理に先立って、端末装置が送信した通信確立要求を受信する通信処理部と、通信確立要求の履歴を記憶する記憶部と、端末装置が通信確立要求を再送信した時に画像処理部が通常状態になっているように、通信確立要求の履歴を参照して、画像処理部の通常状態と省エネ状態とを切り替える稼働制御部とを備える。【選択図】図３
2011062940.tif 000002
【特許請求の範囲】
【請求項１】
ネットワークを介して端末装置に接続される画像処理装置であって、
前記端末装置が要求する画像処理を実行する画像処理部と、
前記画像処理に先立って、前記端末装置が送信した通信確立要求を受信する通信処理部と、
前記通信確立要求の履歴を記憶する記憶部と、
前記端末装置が通信確立要求を再送信した時に前記画像処理部が通常状態になっているように、前記通信確立要求の履歴を参照して、前記画像処理部の通常状態と、通常状態より消費電力が抑制された前記画像処理部の省エネ状態とを切り替える稼働制御部とを備える
画像処理装置。
【請求項２】
前記省エネ状態は、前記画像処理部が停止している状態である
請求項１に記載の画像処理装置。
【請求項３】
前記省エネ状態は、前記画像処理部の一部が停止している状態である
請求項１に記載の画像処理装置。
【請求項４】
前記稼働制御部は、要求する通信が確立されていない通信確立要求が、前記通信確立要求の履歴に記憶されている場合、前記画像処理部の通常状態を維持する
請求項１〜３のうちいずれか１項に記載の画像処理装置。
【請求項５】
前記稼働制御部は、前記通信確立要求の履歴を参照することにより、前記端末装置が通信確立要求を再送信する前に前記画像処理部を省エネ状態から通常状態に切り替える
請求項１〜４のうちいずれか１項に記載の画像処理装置。
【請求項６】
ネットワークを介して端末装置に接続される画像処理装置の制御方法であって、
前記画像処理装置が備える画像処理部で、前記端末装置が要求する画像処理を実行する画像処理ステップと、
前記画像処理に先立って、前記端末装置が送信した通信確立要求を受信する通信処理ステップと、
前記通信確立要求の履歴を記憶する記憶ステップと、
前記端末装置が通信確立要求を再送信した時に前記画像処理部が通常状態になっているように、前記通信確立要求の履歴を参照して、前記画像処理部の通常状態と、通常状態より消費電力が抑制された前記画像処理部の省エネ状態とを切り替える稼働制御ステップとを含む
画像処理装置の制御方法。
【請求項７】
請求項６に記載の画像処理装置の制御方法に含まれるステップをコンピュータに実行させる
プログラム。
【発明の詳細な説明】
【技術分野】
【０００１】
本発明は、ネットワークを介して端末装置に接続する画像処理装置に関するものである。
【背景技術】
【０００２】
従来、コピー機、ファクシミリ装置および複合機等の画像処理装置は、ネットワークを介して接続された端末装置から、コピーまたはファクシミリ送信等の画像処理の要求を受ける。そして、画像処理装置は、端末装置により要求された画像処理を実行する。
【０００３】
図１４は、従来例における通信処理のシーケンス図である。
まず、端末装置９５０は、画像処理装置９００との通信を確立するために、通信確立要求としてＳＹＮ（Ｓｙｎｃｒｏｎｉｚｅ）パケットを送信する（Ｓ９０１）。画像処理装置９００は、ＳＹＮパケットの応答として、ＳＹＮ／ＡＣＫ（Ａｃｋｎｏｗｌｅｄｇｅ）パケットを送信する（Ｓ９０２）。端末装置９５０は、ＳＹＮ／ＡＣＫパケットの応答として、ＡＣＫパケットを送信する（Ｓ９０３）。このようにして、端末装置９５０および画像処理装置９００は、通信を確立する。
【０００４】
次に、端末装置９５０は、印刷データを送信する（Ｓ９０４）。画像処理装置９００は、印刷データの応答として、ＡＣＫパケットを送信する（Ｓ９０５）。その後、端末装置９５０および画像処理装置９００は、印刷データとＡＣＫパケットの送受信を繰り返す（Ｓ９０６およびＳ９０７）。
【０００５】
そして、端末装置９５０は、印刷データの送信が終了すれば、ＦＩＮ（Ｆｉｎｉｓｈ）パケットを送信する（Ｓ９０８）。画像処理装置９００は、ＦＩＮ／ＡＣＫパケットを送信する（Ｓ９０９）。端末装置９５０は、ＦＩＮ／ＡＣＫパケットの応答として、ＡＣＫパケットを送信する（Ｓ９１０）。
【０００６】
このようにして、画像処理装置９００は、通信確立後、印刷データを受信して印刷処理を実行する。なお、一連の通信は、セッションと呼ばれる場合がある。
【０００７】
一方、近年、このような画像処理装置は、省エネルギー（以下、単に「省エネ」という。）を実現している。例えば、画像処理装置は、通常状態と、通常状態より消費電力が抑制された省エネ状態とを切り替えることにより、消費電力を抑制する。
【０００８】
通常、省エネを実現する画像処理装置は、所定の時間内に、画像処理の要求を受けなければ、省エネ状態に切り替える。また、特許文献１に記載された画像処理装置は、端末装置とのセッションが切断された後、省エネ状態に切り替える。
【０００９】
このようにして、画像処理装置は、消費電力を抑制する。
【先行技術文献】
【特許文献】
【００１０】
【特許文献１】特開平１１−１６１４４９号公報
【発明の概要】
【発明が解決しようとする課題】
【００１１】
しかしながら、画像処理装置が省エネ状態の場合、または、画像処理装置が他の端末装置から要求された画像処理を実行している場合、画像処理装置は、要求される画像処理を実行することができない。したがって、画像処理装置は、このような時に、端末装置から通信確立要求を受けても、通信確立要求に応答しない。この場合、端末装置は、所定の間隔をあけて、再度、通信確立要求を行う。
【００１２】
しかし、端末装置が通信確立要求を行ったとき、再度、画像処理装置は、省エネ状態に移行している場合がある。この場合も、画像処理装置は、要求される画像処理を実行することができないため、通信確立要求に応答しない。以下、この場合の通信処理について、図面を用いて説明する。
【００１３】
図１５は、従来例における通信処理のシーケンス図である。
まず、端末装置９５０は、通信確立要求としてＳＹＮパケットを送信する（Ｓ９１１）。ここで、画像処理装置９００が省エネ状態であった場合、画像処理装置９００は、復帰を開始する（Ｓ９１２）。端末装置９５０は、ＳＹＮパケットに対する応答がないため、再度、ＳＹＮパケットを送信する（Ｓ９１３）。この時、画像処理装置９００は、復帰中であり、画像処理を実行できないため、ＳＹＮパケットに応答しない。
【００１４】
その後、画像処理装置９００は、復帰を完了する（Ｓ９１４）。そして、画像処理装置９００は、所定の時間が経過した後、再度、省エネ状態に移行する（Ｓ９１５）。
【００１５】
次に、端末装置９５０は、再度、ＳＹＮパケットを送信する（Ｓ９１６）。そして、画像処理装置９００は、再度、復帰を開始する（Ｓ９１７）。
【００１６】
このように、画像処理装置が省エネ状態と通常状態とを切り替えるタイミングにより、端末装置から要求される画像処理を実行することができない場合がある。
【００１７】
そこで、本発明は、端末装置から要求される画像処理を円滑に実行するため、効率的に、省エネ状態と通常状態とを切り替える画像処理装置を提供することを目的とする。
【課題を解決するための手段】
【００１８】
上記課題を解決するために、本発明による画像処理装置は、ネットワークを介して端末装置に接続される画像処理装置であって、前記端末装置が要求する画像処理を実行する画像処理部と、前記画像処理に先立って、前記端末装置が送信した通信確立要求を受信する通信処理部と、前記通信確立要求の履歴を記憶する記憶部と、前記端末装置が通信確立要求を再送信した時に前記画像処理部が通常状態になっているように、前記通信確立要求の履歴を参照して、前記画像処理部の通常状態と、通常状態より消費電力が抑制された前記画像処理部の省エネ状態とを切り替える稼働制御部とを備える。
【００１９】
これにより、画像処理装置は、通信確立要求の履歴に基づいて、省エネ状態と通常状態とを効率的に切り替え、端末装置から要求される画像処理を円滑に実行する。
【００２０】
また、前記省エネ状態は、前記画像処理部が停止している状態でもよい。
これにより、画像処理装置は、省エネ状態のときに、画像処理を実行できない。よって、画像処理装置は、省エネ状態と通常状態とを効率的に切り替えることにより、端末装置から要求される画像処理を円滑に実行できる。
【００２１】
また、前記省エネ状態は、前記画像処理部の一部が停止している状態でもよい。
これにより、画像処理装置は、省エネ状態のときに、画像処理を実行できない場合がある。このような場合においても、画像処理装置は、省エネ状態と通常状態とを効率的に切り替えることにより、端末装置から要求される画像処理を円滑に実行できる。
【００２２】
また、前記稼働制御部は、要求する通信が確立されていない通信確立要求が、前記通信確立要求の履歴に記憶されている場合、前記画像処理部の通常状態を維持してもよい。
【００２３】
これにより、画像処理装置は、通信確立要求が再送信されると想定される場合、省エネ状態に移行しない。つまり、端末装置および画像処理装置が通信を確立している場合に限らず、端末装置が画像処理装置に通信の確立を要求している場合も、画像処理装置の通常状態が維持される。したがって、再度、通信確立要求が送信される時に、通信を確立することによって、画像処理装置は、端末装置から要求される画像処理を円滑に実行する。
【００２４】
また、前記稼働制御部は、前記通信確立要求の履歴を参照することにより、前記端末装置が通信確立要求を再送信する前に前記画像処理部を省エネ状態から通常状態に切り替えてもよい。
【００２５】
これにより、画像処理装置は、通信確立要求の再送信があると想定される前まで、省エネ状態とし、通信確立要求の再送信があると想定される時に、通常状態とすることができる。したがって、省エネ状態と通常状態とを効率的に切り替えることができる。
【００２６】
また、本発明による画像処理装置の制御方法は、ネットワークを介して端末装置に接続される画像処理装置の制御方法であって、前記画像処理装置が備える画像処理部で、前記端末装置が要求する画像処理を実行する画像処理ステップと、前記画像処理に先立って、前記端末装置が送信した通信確立要求を受信する通信処理ステップと、前記通信確立要求の履歴を記憶する記憶ステップと、前記端末装置が通信確立要求を再送信した時に前記画像処理部が通常状態になっているように、前記通信確立要求の履歴を参照して、前記画像処理部の通常状態と、通常状態より消費電力が抑制された前記画像処理部の省エネ状態とを切り替える稼働制御ステップとを含む画像処理装置の制御方法でもよい。
【００２７】
これにより、前記画像処理装置の制御方法を用いる画像処理装置は、通信確立要求の履歴に基づいて、省エネ状態と通常状態とを効率的に切り替え、端末装置から要求される画像処理を円滑に実行する。
【００２８】
また、前記画像処理装置の制御方法に含まれるステップをコンピュータに実行させるプログラムでもよい。
【００２９】
これにより、前記画像処理装置の制御方法がプログラムとして実現される。
【発明の効果】
【００３０】
本発明により、画像処理装置は、省エネ状態と通常状態とを効率よく切り替えることができる。よって、画像処理装置は、端末装置から要求される画像処理を円滑に実行することができる。
【図面の簡単な説明】
【００３１】
【図１】図１は、実施の形態１における画像処理装置の外観図である。
【図２】図２は、実施の形態１における画像処理装置の概要図である。
【図３】図３は、実施の形態１における画像処理装置の構成図である。
【図４】図４は、実施の形態１における通信処理を示すシーケンス図である。
【図５】図５は、実施の形態１における通信処理を示すシーケンス図である。
【図６】図６は、実施の形態１における通信処理を示すシーケンス図である。
【図７】図７は、実施の形態１における画像処理装置の処理を示すフローチャートである。
【図８】図８は、実施の形態１における画像処理装置の処理を示すフローチャートである。
【図９】図９は、実施の形態１における画像処理装置の処理を示すフローチャートである。
【図１０】図１０は、実施の形態１における通信確立要求の履歴のデータ構造図である。
【図１１】図１１は、実施の形態２における画像処理装置の外観図である。
【図１２】図１２は、実施の形態２における画像処理装置の概要図である。
【図１３】図１３は、実施の形態２における画像処理装置の構成図である。
【図１４】図１４は、従来例における通信処理を示すシーケンス図である。
【図１５】図１５は、従来例における通信処理を示すシーケンス図である。
【発明を実施するための形態】
【００３２】
（実施の形態１）
まず、本発明の実施の形態１について図面を用いて説明する。
【００３３】
図１は、実施の形態１における画像処理装置の外観図である。
図１に示された画像処理装置１００および端末装置９５０は、ネットワークを介して、相互に接続する。そして、画像処理装置１００および端末装置９５０は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）により通信する。端末装置９５０は、図１４に示された従来例における端末装置９５０と同様の装置である。
【００３４】
画像処理装置１００は、端末装置９５０が要求する画像処理を実行する。
図２は、図１に示された実施の形態１における画像処理装置の概要図である。
【００３５】
画像処理装置１００は、ＣＰＵ（Ｃｅｎｔｒａｌ  Ｐｒｏｃｅｓｓｉｎｇ  Ｕｎｉｔ）１０１、ＲＯＭ（Ｒｅａｄ  Ｏｎｌｙ  Ｍｅｍｏｒｙ）１０２、ＲＡＭ（Ｒａｎｄｏｍ  Ａｃｃｅｓｓ  Ｍｅｍｏｒｙ）１０３およびプリンタ１０５を備える。また、画像処理装置１００は、外部とのインタフェースとして、操作パネル１０４およびネットワークインタフェース１０９を備える。
【００３６】
ＣＰＵ１０１は、ＲＯＭ１０２に格納された制御プログラム等を実行するプロセッサである。
【００３７】
ＲＯＭ１０２は、制御プログラム等を保持する読み出し専用メモリである。
ＲＡＭ１０３は、揮発性の記憶領域等を有する読み書き可能なメモリである。ＲＡＭ１０３は、ＣＰＵ１０１が制御プログラム等を実行するときにワークエリアとして使用される。
【００３８】
操作パネル１０４は、ユーザが画像処理装置１００に直接指示をするときに用いられる入出力インタフェース装置である。
【００３９】
プリンタ１０５は、印刷装置であり、端末装置９５０が要求する画像処理である印刷処理を実行する。
【００４０】
ネットワークインタフェース１０９は、ネットワークインタフェースカード等であり、データの送受信を行うインタフェース装置である。
【００４１】
実施の形態１において、省エネ状態のとき、ネットワークインタフェース１０９は稼働し、ＣＰＵ１０１、ＲＯＭ１０２、ＲＡＭ１０３、操作パネル１０４およびプリンタ１０５は停止する。これにより、消費電力が抑制される。なお、省エネ状態のとき、これらの一部が停止してもよい。また、省エネ状態のとき、これらが通常状態より低い電力で稼働してもよい。
【００４２】
図３は、図１に示された実施の形態１における画像処理装置の構成図である。図３に示された端末装置９５０は、図１４に示された従来例における端末装置９５０と同様の動作をする。
【００４３】
画像処理装置１００は、通信処理部１１１、記憶部１１２、稼働制御部１１４および画像処理部１１５を備える。
【００４４】
このうち、通信処理部１１１、記憶部１１２および稼働制御部１１４は、図２に示されたネットワークインタフェース１０９に配置される。また、通信処理部１１１および稼働制御部１１４は、ネットワークインタフェース１０９に備えられた集積回路によって実現される。さらに、記憶部１１２は、ネットワークインタフェース１０９に備えられたメモリによって実現される。このように配置することにより、省エネ状態のとき、通信処理部１１１、記憶部１１２および稼働制御部１１４は稼働する。
【００４５】
次に、図３に示された画像処理装置１００の構成要素について説明する。
通信処理部１１１は、通信確立要求としてＳＹＮパケットを端末装置９５０から受信する。そして、通信処理部１１１は、端末装置９５０との通信を確立するために、パケットの送受信を実行する。また、端末装置９５０から画像処理の要求として、印刷データを受信する。
【００４６】
さらに、通信処理部１１１は、端末装置９５０から受信した通信確立要求を記憶部１１２の履歴１１３に格納する。
【００４７】
記憶部１１２は、端末装置９５０から受信した通信確立要求を履歴１１３に保持する。
履歴１１３は、通信確立要求の履歴である。例えば、通信確立要求を行った端末装置９５０のＩＰアドレス、通信確立要求に用いられた画像処理装置１００側のポート番号等を保持する。さらに、画像処理装置１００と端末装置９５０との通信確立状況、通信確立要求が試行された回数、および、通信確立要求が試行された間隔を保持してもよい。
【００４８】
稼働制御部１１４は、履歴１１３を参照することにより、画像処理部１１５の省エネ状態と通常状態とを切り替える。例えば、履歴１１３に通信確立要求中を示す通信確立状況が記憶されている場合、次の通信確立要求に備えて、稼働制御部１１４は、画像処理部１１５を省エネ状態に移行させない。または、稼働制御部１１４は、画像処理部１１５を省エネ状態に移行させた後、次の通信確立要求の前に、画像処理部１１５を通常状態に移行させる。
【００４９】
実施の形態１において、画像処理部１１５の省エネ状態とは、画像処理部１１５が停止した状態であり、画像処理部１１５の通常状態とは、画像処理部１１５が稼働した状態である。これにより、画像処理部１１５が省エネ状態のとき、画像処理部１１５の消費電力が抑制される。なお、画像処理部１１５が省エネ状態のとき、画像処理部１１５の一部が停止してもよい。また、画像処理部１１５が省エネ状態のとき、画像処理部１１５が通常状態より低い電力で稼働してもよい。
【００５０】
画像処理部１１５は、図２に示されたＣＰＵ１０１等によって実現される処理部である。画像処理部１１５は、通信確立後、端末装置９５０が要求する画像処理である印刷処理を実行する。
【００５１】
なお、実施の形態１において、通信処理部１１１、記憶部１１２および稼働制御部１１４は、ネットワークインタフェース１０９に配置したが、ネットワークインタフェース１０９以外に配置してもよい。通信処理部１１１、記憶部１１２および稼働制御部１１４が、省エネ状態のときに稼働していれば、同様の処理を実行できる。
【００５２】
図４および図５は、図１に示された実施の形態１における通信処理を示すシーケンス図である。
【００５３】
まず、端末装置９５０は、通信確立要求としてＳＹＮパケットを画像処理装置１００に送信する（Ｓ１０１）。そして、画像処理装置１００の通信処理部１１１は、ＳＹＮパケットを受信する。次に、通信処理部１１１は、ＳＹＮパケットの情報を履歴１１３に記憶する（Ｓ１０２）。さらに、画像処理装置１００の画像処理部１１５が停止している場合、画像処理装置１００の稼働制御部１１４は、画像処理部１１５を稼働させる。これにより、画像処理部１１５は、復帰を開始する（Ｓ１０３）。
【００５４】
次に、端末装置９５０は、先のＳＹＮパケットに対して応答がないため、画像処理装置１００にＳＹＮパケットを再送信する（Ｓ１０４）。そして、通信処理部１１１は、ＳＹＮパケットを受信し、ＳＹＮパケットの情報を履歴１１３に記憶する（Ｓ１０５）。この時、画像処理部１１５が復帰を完了していないため、通信処理部１１１は、ＳＹＮパケットに応答しない。
【００５５】
その後、画像処理部１１５は、復帰を完了する（Ｓ１０６）。そして、端末装置９５０は、先のＳＹＮパケットに対して応答がないため、画像処理装置１００にＳＹＮパケットを再送信する（Ｓ１０７）。この時、画像処理部１１５が復帰を完了しているため、通信処理部１１１は、ＳＹＮパケットの応答として、ＳＹＮ／ＡＣＫパケットを端末装置９５０に送信する（Ｓ１０８）。そして、端末装置９５０は、ＡＣＫパケットを送信する（Ｓ１０９）。これにより、端末装置９５０および画像処理装置１００は、通信を確立する。
【００５６】
次に、端末装置９５０は、印刷データを送信する（Ｓ１１１）。通信処理部１１１は、印刷データの応答として、ＡＣＫパケットを送信する（Ｓ１１２）。その後、端末装置９５０および通信処理部１１１は、印刷データとＡＣＫパケットの送受信を繰り返す（Ｓ１１３およびＳ１１４）。画像処理部１１５は、通信処理部１１１が受信した印刷データを用いて、画像処理、すなわち、印刷処理を実行する。
【００５７】
また、端末装置９５０は、印刷データの送信が終了すれば、ＦＩＮパケットを送信する（Ｓ１１５）。通信処理部１１１は、ＦＩＮ／ＡＣＫパケットを送信する（Ｓ１１６）。端末装置９５０は、ＦＩＮ／ＡＣＫパケットの応答として、ＡＣＫパケットを送信する（Ｓ１１７）。
【００５８】
そして、稼働制御部１１４は、履歴１１３を参照し、他の端末装置との通信確立要求中を示す通信確立状況が記憶されていなければ、画像処理部１１５を省エネ状態に移行させる（Ｓ１１８）。
【００５９】
このようにして、稼働制御部１１４は、通信確立要求の履歴１１３を用いて、端末装置９５０が通信確立要求を再送信する時に画像処理部１１５が稼働状態になるように、画像処理部１１５の稼働状態と停止状態とを切り替える。
【００６０】
図６は、図１に示された実施の形態１における通信処理を示すシーケンス図であって、図４で示された通信処理とは異なる通信処理の例を示すシーケンス図である。
【００６１】
まず、端末装置９５０は、ＳＹＮパケットを送信する（Ｓ１２１）。次に、通信処理部１１１は、ＳＹＮパケットの情報を履歴１１３に記憶する（Ｓ１２２）。次に、画像処理部１１５は、復帰を開始する（Ｓ１２３）。次に、端末装置９５０は、ＳＹＮパケットを再送信する（Ｓ１２４）。そして、通信処理部１１１は、ＳＹＮパケットの情報を履歴１１３に記憶する（Ｓ１２５）。その後、画像処理部１１５は、復帰を完了する（Ｓ１２６）。
【００６２】
ここまでの処理は、図４に示された通信処理（Ｓ１０１〜Ｓ１０６）と同様である。
次に、稼働制御部１１４は、端末装置９５０から次の通信確立要求が再送信されるまで時間があると、履歴１１３から判断できる場合、画像処理部１１５を停止状態に移行させる。これにより、画像処理部１１５は、省エネ状態に移行する（Ｓ１２７）。そして、稼働制御部１１４は、次に通信確立要求が再送信される時までに、画像処理部１１５を稼働させる。これにより、画像処理部１１５は、復帰を開始し（Ｓ１２８）、次に通信確立要求が再送信される時までに、復帰を完了する（Ｓ１２９）。
【００６３】
そして、端末装置９５０は、画像処理装置１００にＳＹＮパケットを再送信する（Ｓ１３０）。この時、画像処理部１１５が復帰を完了しているため、通信処理部１１１は、ＳＹＮパケットの応答として、ＳＹＮ／ＡＣＫパケットを端末装置９５０に送信する（Ｓ１３１）。そして、端末装置９５０は、ＡＣＫパケットを送信する（Ｓ１３２）。
【００６４】
これにより、端末装置９５０および画像処理装置１００は、通信を確立する。その後、端末装置９５０および画像処理装置１００は、図５に示された通信処理を実行する。
【００６５】
このようにして、稼働制御部１１４は、通信確立要求の履歴１１３を参照し、端末装置９５０が通信確立要求を再送信する時に画像処理部１１５が稼働状態になるように、画像処理部１１５の稼働状態と停止状態とを切り替える。すなわち、図６に示された通信処理によっても、画像処理装置１００は、効率的に、省エネ状態と通常状態とを切り替えることができる。また、画像処理装置１００は、一時的に、省エネ状態に切り替えることで、消費電力を低減させることができる。
【００６６】
図７、図８および図９は、図１に示された実施の形態１における画像処理装置の処理を示すフローチャートである。
【００６７】
まず、画像処理装置１００の通信処理部１１１は、端末装置９５０から送信されるＳＹＮパケットを受信する（Ｓ１４１）。
【００６８】
次に、通信処理部１１１は、ＳＹＮパケットが印刷用のポートを使用しているかを判定する（Ｓ１４２）。ここでポートとは、ＴＣＰ／ＩＰによる通信時に、画像処理装置１００で使用されるポート番号を意味する。例えば、ＳＹＮパケットが９１００番のポートを使用している場合、通信処理部１１１は、ＳＹＮパケットが印刷用のポートを使用していると判定する。これにより、通信処理部１１１は、端末装置９５０が印刷処理を要求しているかを判定する。
【００６９】
同様に、ＳＹＮパケットがＬＰＲ（Ｌｉｎｅ  Ｐｒｉｎｔｅｒ  Ｄｅａｍｏｎ  Ｐｒｏｔｏｃｏｌ）により使用される５１５番のポートを使用している場合、通信処理部１１１は、ＳＹＮパケットが印刷用のポートを使用していると判定する。また、ＳＹＮパケットがＩＰＰ（Ｉｎｔｅｒｎｅｔ  Ｐｒｉｎｔｉｎｇ  Ｐｒｏｔｏｃｏｌ）により使用される６３１番のポートを使用している場合、通信処理部１１１は、ＳＹＮパケットが印刷用のポートを使用していると判定する。
【００７０】
ここで、印刷用のポートが用いられていない場合（Ｓ１４２でＮｏ）、画像処理装置１００における処理は終了する。
【００７１】
一方、印刷用のポートが用いられている場合（Ｓ１４２でＹｅｓ）、通信処理部１１１は、記憶部１１２の履歴１１３にＳＹＮパケットの情報を記憶する。例えば、通信確立要求を行った端末装置９５０のＩＰアドレス、通信確立要求に用いられた画像処理装置１００側のポート番号等を保持する。さらに、通信確立要求中を示す情報を通信確立状況として記憶する。また、ここで、以前に記憶されていた通信確立要求が試行された回数、および、通信確立要求が試行された間隔を初期化してもよい。
【００７２】
次に、稼働制御部１１４は、画像処理部１１５が停止された状態、すなわち、画像処理部１１５が省エネ状態であるかを判定する（Ｓ１４４）。
【００７３】
ここで、画像処理部１１５が省エネ状態である場合（Ｓ１４４でＹｅｓ）、稼働制御部１１４は、画像処理部１１５を稼働させる。これにより、画像処理部１１５は復帰を開始する（Ｓ１４５）。その後、画像処理装置１００は、図９に示す処理（Ｓ１６１〜Ｓ１６９）を実行する。
【００７４】
一方、画像処理部１１５が省エネ状態でない場合（Ｓ１４４でＮｏ）、通信処理部１１１は、他の端末装置と通信確立中であるかを判定する（Ｓ１４６）。
【００７５】
ここで、他の端末装置と通信確立中である場合（Ｓ１４６でＹｅｓ）、画像処理装置１００は、図９に示す処理（Ｓ１６１〜Ｓ１６９）を実行する。
【００７６】
一方、他の端末装置と通信確立中でない場合（Ｓ１４６でＮｏ）、通信処理部１１１は、ＳＹＮ／ＡＣＫパケットを送信する（Ｓ１４７）。そして、通信処理部１１１は、端末装置９５０からのＡＣＫパケットを受信する（Ｓ１４８）。このようにして、画像処理装置１００と端末装置９５０との通信は確立される。
【００７７】
次に、通信処理部１１１は、履歴１１３に、画像処理装置１００と端末装置９５０との通信確立状況として、通信確立中を示す情報を記憶する（Ｓ１４９）。
【００７８】
そして、通信処理部１１１は、端末装置９５０から送信される印刷データを受信して（Ｓ１５１）、端末装置９５０にＡＣＫパケットを送信する。次に、画像処理部１１５は、印刷処理を実行する（Ｓ１５２）。
【００７９】
そして、通信処理部１１１は、端末装置９５０からＦＩＮパケットを受信したかを判定する（Ｓ１５３）。通信処理部１１１がＦＩＮパケットを受信しなければ（Ｓ１５３でＮｏ）、ＦＩＮパケットを受信するまで、通信処理部１１１は、印刷データを受信し（Ｓ１５１）、画像処理部１１５は、印刷処理を実行する（Ｓ１５２）。
【００８０】
通信処理部１１１がＦＩＮパケットを受信すれば（Ｓ１５３でＹｅｓ）、通信処理部１１１は、ＦＩＮ／ＡＣＫパケットを送信する（Ｓ１５４）。そして、通信処理部１１１は、端末装置９５０からのＡＣＫパケットを受信する（Ｓ１５５）。このようにして、画像処理装置１００と端末装置９５０との通信は終了する。
【００８１】
次に、通信処理部１１１は、履歴１１３に、画像処理装置１００と端末装置９５０との通信確立状況として、通信確立要求なしを示す情報を記憶する（Ｓ１５６）。
【００８２】
そして、稼働制御部１１４は、履歴１１３を参照し、通信確立状況として、他の端末装置が通信確立要求中であることを示す情報が記憶されているかを判定する（Ｓ１５７）。
【００８３】
ここで、他の端末装置が通信確立要求中であることを示す情報が履歴１１３に記憶されている場合（Ｓ１５７でＹｅｓ）、画像処理部１１５は、省エネ状態に移行せずに、画像処理装置１００の処理は終了する。一方、他の端末装置が通信確立要求中であることを示す情報が履歴１１３に記憶されていない場合（Ｓ１５７でＮｏ）、稼働制御部１１４は、画像処理部１１５を停止させる。これにより、画像処理部１１５は、省エネ状態に移行する（Ｓ１５８）。そして、画像処理装置１００の処理は終了する。
【００８４】
なお、稼働制御部１１４は、他の端末装置が通信確立要求中であっても、次の通信確立要求が再送信されるまで時間がある場合、画像処理部１１５を停止させて、次の通信確立要求が再送信される前までに、画像処理部１１５を稼働させてもよい。この場合、稼働制御部１１４は、履歴１１３に記憶された通信確立要求の試行回数および試行間隔を参照して、次の通信確立要求が再送信される時間を算出する。
【００８５】
次に、省エネ状態の場合、または、他と通信確立中の場合の処理について、図９を用いて説明する。
【００８６】
まず、通信処理部１１１は、通信確立要求が試行される間隔を測るタイマーを開始する（Ｓ１６１）。
【００８７】
次に、通信処理部１１１は、所定の時間が経過し、タイムアウトになったかを判定する（Ｓ１６２）。通信処理部１１１は、ＳＹＮパケットの試行回数により、タイムアウトとする所定の時間を定めてもよい。また、通信処理部１１１は、履歴１１３を参照して通信確立要求が試行された間隔により、タイムアウトとする所定の時間を定めてもよい。
【００８８】
ここで、タイムアウトの場合（Ｓ１６２でＹｅｓ）、通信処理部１１１は、タイマーを停止して、タイマーを開始した時からの間隔を計測する（Ｓ１６３）。そして、通信処理部１１１は、通信確立状況として、通信確立要求なしを示す情報を履歴１１３に記憶する（Ｓ１６４）。さらに、通信確立要求の試行間隔として、計測された間隔を履歴１１３に記憶してもよい。また、ここで、通信確立要求の試行回数を初期化してもよい。
【００８９】
一方、タイムアウトではない場合（Ｓ１６２でＮｏ）、通信処理部１１１は、ＳＹＮパケットを受信したかを判定する（Ｓ１６５）。通信処理部１１１は、ＳＹＮパケットを受信していない場合（Ｓ１６５でＮｏ）、再度、タイムアウトになったかを判定する（Ｓ１６２）。つまり、通信処理部１１１は、タイムアウトになるまで、ＳＹＮパケットの受信を待つ。
【００９０】
そして、通信処理部１１１は、ＳＹＮパケットを受信した場合（Ｓ１６５でＹｅｓ）、タイマーを停止して、タイマーを開始した時からの間隔を計測する（Ｓ１６６）。通信処理部１１１は、通信確立要求の試行間隔として、計測された間隔を履歴１１３に記憶する（Ｓ１６７）。また、通信確立要求の試行回数を記憶してもよい。
【００９１】
次に、稼働制御部１１４は、画像処理部１１５が通常状態であるかを判定する（Ｓ１６８）。ここで、画像処理部１１５が通常状態でない場合（Ｓ１６８でＮｏ）、つまり、省エネ状態の場合、通信処理部１１１は、再びタイマーを開始する（Ｓ１６１）。そして、画像処理部１１５が省エネ状態から復帰するまで、画像処理装置１００は処理（Ｓ１６１〜Ｓ１６８）を繰り返す。
【００９２】
一方、画像処理部１１５が通常状態の場合（Ｓ１６８でＹｅｓ）、通信処理部１１１は、他の端末装置と通信確立中であるかを判定する（Ｓ１６９）。ここで、通信処理部１１１は、他の端末装置と通信確立中である場合（Ｓ１６９でＹｅｓ）、再びタイマーを開始する（Ｓ１６１）。そして、他の端末装置との通信確立が解除されるまで、画像処理装置１００は処理（Ｓ１６１〜Ｓ１６９）を繰り返す。
【００９３】
通信処理部１１１は、他の端末装置と通信確立中でない場合（Ｓ１６９でＮｏ）、端末装置９５０との通信を確立する処理を行う（Ｓ１４７およびＳ１４８）。
【００９４】
このようにして、画像処理装置１００は、端末装置９５０から要求される画像処理を実行できるようになるまで、通信確立要求を記憶し、記憶された通信確立要求を参照することにより、省エネ状態と通常状態とを切り替える。なお、画像処理装置１００は、端末装置９５０から通信確立要求の再送信がなくても、所定の時間が経過すれば、タイムアウトにより、省エネ状態に移行することができる。
【００９５】
図１０は、図１に示された実施の形態１における通信確立要求の履歴のデータ構造図である。図１０に示された履歴１１３は、通信確立要求の履歴として、図３で示された記憶部１１２に記憶される。
【００９６】
履歴１１３は、ＩＰアドレス、ポート、通信確立状況、試行回数、および、試行間隔の情報を保持する。
【００９７】
ＩＰアドレスは、通信確立要求を行った端末装置９５０のＩＰアドレスを示す。
ポートは、通信確立要求に用いられた画像処理装置１００側のポート番号を示す。
【００９８】
通信確立状況は、画像処理装置１００と端末装置９５０との通信確立状況を示す。例えば、通信確立状況は、通信確立中、通信確立要求中、および、通信確立要求なしのうち、いずれかを示す情報を示す。
【００９９】
試行回数は、通信確立要求が試行された回数を示す。
試行間隔は、通信確立要求が試行された間隔を示す。図１０に示された履歴１１３は、１回目の通信確立要求と２回目の通信確立要求との間の試行間隔を保持する。さらに、履歴１１３は、６回目までの通信確立要求があった場合を想定し、それぞれの間についての試行間隔を保持する。そして、７回目以降の試行間隔を保持しなくてもよいし、５回目から６回目の試行間隔を示す列に７回目以降の試行間隔を上書きして保持してもよい。
【０１００】
また、通信処理部１１１は、タイムアウトになった場合、５回目から６回目の試行間隔を示す列に、計測された間隔を記憶してもよい。また、履歴１１３は、タイムアウトを示す新たな列を保持してもよい。
【０１０１】
さらに、図１０に示された履歴１１３は、ＩＰアドレス毎に行を保持する構造であるが、通信確立要求毎に行を保持する構造としてもよい。
【０１０２】
以上のように、実施の形態１における画像処理装置１００は、履歴１１３を用いて、効率的に省エネ状態と通常状態とを切り替える。したがって、端末装置９５０から要求される画像処理を円滑に実行することができる。
【０１０３】
なお、実施の形態１において、省エネ状態のときに、画像処理部１１５が停止する例を示したが、省エネ状態のときに、画像処理部１１５は消費電力が抑制された状態で稼働してもよい。また、省エネ状態のときに、画像処理部１１５の一部が停止してもよい。
【０１０４】
このような省エネ状態であっても、画像処理部１１５が要求される画像処理を実行できない場合がある。また、通信確立要求の段階では、画像処理装置１００は、要求される画像処理を省エネ状態で実行できるか否かを判別できない。したがって、このような省エネ状態においても、省エネ状態と通常状態との効率的な切り替えが必要とされる。本発明による画像処理装置は、このような場合においても、効率的に省エネ状態と通常状態とを切り替えることにより、要求される画像処理を円滑に実行することができる。
【０１０５】
（実施の形態２）
次に、本発明の実施の形態２について図面を用いて説明する。実施の形態２における画像処理装置は、印刷機能、コピー機能およびファクシミリ送受信機能を有する複合機として動作する。
【０１０６】
図１１は、実施の形態２における画像処理装置の外観図である。
図１１に示された画像処理装置２００および端末装置９５０は、ネットワークを介して、相互に接続する。端末装置９５０は、図１４に示された従来例における端末装置９５０と同様の装置である。
【０１０７】
図１２は、図１１に示された実施の形態２における画像処理装置の概要図である。
画像処理装置２００は、ＣＰＵ２０１、ＲＯＭ２０２、ＲＡＭ２０３、操作パネル２０４、プリンタ２０５およびネットワークインタフェース１０９を備える。これらは、図２に示された画像処理装置１００と同様の構成要素である。
【０１０８】
さらに、画像処理装置２００は、スキャナ２０６、モデム２０７およびＮＣＵ（Ｎｅｔｗｏｒｋ  Ｃｏｎｔｒｏｌ  Ｕｎｉｔ）２０８を備える。これらは、コピー機能およびファクシミリ送受信機能を実現する。
【０１０９】
スキャナ２０６は、コピーする原稿、または、ファクシミリ送信する原稿を読み取ることにより、画像データを生成する画像読み取り装置である。
【０１１０】
モデム２０７は、ファクシミリ送信される画像データを変調し、または、外部からファクシミリ送信されてきた画像データを復調するファクシミリ送受信用のモデムである。
【０１１１】
ＮＣＵ２０８は、ＰＳＴＮ（Ｐｕｂｌｉｃ  Ｓｗｉｔｃｈｅｄ  Ｔｅｌｅｐｈｏｎｅ  Ｎｅｔｗｏｒｋｓ：公衆電話交換回線網）と接続される回線終端端末である。モデム２０７およびＮＣＵ２０８により、ファクシミリ送受信が実現される。
【０１１２】
プリンタ２０５は、図２に示されたプリンタ１０５と比較して、さらに、スキャナ２０６により読み取られたデータ、または、ファクシミリ受信したデータを印刷することができる。これにより、画像処理装置２００は、コピー、または、ファクシミリ受信を実現する。
【０１１３】
そして、ＣＰＵ２０１、ＲＯＭ２０２およびＲＡＭ２０３は、図２に示されたＣＰＵ１０１、ＲＯＭ１０２およびＲＡＭ１０３と比較して、さらに、スキャナ２０６、モデム２０７およびＮＣＵ２０８の動作制御等も実行する。
【０１１４】
また、実施の形態１と同様に、省エネ状態のときでも、ネットワークインタフェース１０９は稼働する。そして、省エネ状態のとき、ＣＰＵ２０１、ＲＯＭ２０２、ＲＡＭ２０３、操作パネル２０４、プリンタ２０５、スキャナ２０６、モデム２０７およびＮＣＵ２０８は停止する。
【０１１５】
図１３は、図１１に示された実施の形態２における画像処理装置の構成図である。
画像処理装置２００および端末装置９５０は、ネットワークを介して、互いに接続する。画像処理装置２００は、通信処理部１１１、記憶部１１２、稼働制御部１１４および画像処理部２１５を備える。記憶部１１２は、さらに、履歴１１３を備える。これらは、図３に示された実施の形態１における構成要素と同様の動作をする。
【０１１６】
さらに、画像処理部２１５は、図３に示された画像処理部１１５と比較して、さらに、コピー機能およびファクシミリ送受信機能に特有な処理を行う。例えば、画像処理部２１５は、端末装置９５０からの要求により、コピーを実行し、または、ファクシミリを送信する。
【０１１７】
また、通信処理部１１１、記憶部１１２および稼働制御部１１４は、省エネ状態のときにも稼働するネットワークインタフェース１０９に配置される。したがって、省エネ状態により画像処理部２１５が停止している場合であっても、実施の形態１と同様に、通信処理部１１１は、端末装置９５０からの通信確立要求を記憶部１１２に備えられた履歴１１３に格納する。そして、格納された通信確立要求の履歴１１３を参照することにより、稼働制御部１１４は、画像処理部２１５の稼働と停止を切り替える。
【０１１８】
以上のように、実施の形態２における画像処理装置２００は、効率的に、省エネ状態と通常状態とを切り替えることができる。これにより、画像処理装置２００は、端末装置９５０から要求される画像処理を円滑に実行することができる。つまり、画像を処理する様々な画像処理装置において、本発明は適用できる。
【０１１９】
以上、本発明に係る画像処理装置について、実施の形態１および実施の形態２に基づいて説明したが、本発明はこれらの実施の形態に限定されるものではない。これらの実施の形態に対して当業者が思いつく変形を施して得られる形態、および、これらの実施の形態における構成要素を任意に組み合わせて実現される別の形態も本発明に含まれる。
【０１２０】
また、本発明は、画像処理装置として実現できるだけでなく、画像処理装置を構成する処理手段をステップとする方法として実現できる。そして、本発明は、それらステップをコンピュータに実行させるプログラムとして実現できる。さらに、本発明は、そのプログラムを記憶したコンピュータ読み取り可能なＣＤ（Ｃｏｍｐａｃｔ  Ｄｉｓｃ）−ＲＯＭ等の記憶媒体として実現できる。
【産業上の利用可能性】
【０１２１】
本発明による画像処理装置は、省エネ状態と通常状態とを効率よく切り替えることができる画像処理装置として利用でき、例えば、コピー機、ファクシミリ装置および複合機等に適用できる。
【符号の説明】
【０１２２】
１００、２００、９００  画像処理装置
１０１、２０１  ＣＰＵ
１０２、２０２  ＲＯＭ
１０３、２０３  ＲＡＭ
１０４、２０４  操作パネル
１０５、２０５  プリンタ
１０９  ネットワークインタフェース
１１１  通信処理部
１１２  記憶部
１１３  履歴
１１４  稼働制御部
１１５、２１５  画像処理部
２０６  スキャナ
２０７  モデム
２０８  ＮＣＵ
９５０  端末装置
【図１】
2011062940.tif 000003
【図２】
2011062940.tif 000004
【図３】
2011062940.tif 000005
【図４】
2011062940.tif 000006
【図５】
2011062940.tif 000007
【図６】
2011062940.tif 000008
【図７】
2011062940.tif 000009
【図８】
2011062940.tif 000010
【図９】
2011062940.tif 000011
【図１０】
2011062940.tif 000012
【図１１】
2011062940.tif 000013
【図１２】
2011062940.tif 000014
【図１３】
2011062940.tif 000015
【図１４】
2011062940.tif 000016
【図１５】
2011062940.tif 000017